(57)【要約】【課題】ラップフィルム等を引き出す時に、安定して容易に引き出すことができ、かつ、引出したラップフィルムが、収納したロール状包装材料に巻き戻されることを防止し、簡単にカートンに形成することができる構造のロール状包装材料収納カートンを提供する。【解決手段】本発明は、ロール状に巻かれたラップフィルムが収納されるカートン本体の開口部の一側縁に蓋体が開閉自在に連設され、所望の長さに引き出したラップフィルムを、前板とその前記前板を覆う位置に設けられた蓋体の掩蓋片との間で押圧し、切断刃で切り取り使用するラップフィルム収納カートンにおいて、少なくとも前板の掩蓋片と重なり合う一部又は全部に、樹脂の塗布層からなるラップフィルム保持部を設け、該ラップフィルム保持部の一部又は全部に複数の基底部の形状が円形等の凸部を形成したことを特徴とするラップフィルム収納カートンである。【選択図】図１
2007112475.tif 000002
【特許請求の範囲】
【請求項１】
ロール状に巻かれたラップフィルムが収納されるカートン本体の開口部の一側縁に蓋体が開閉自在に連設され、所望の長さに引き出した前記ラップフィルムを、前板とその前記前板を覆う位置に設けられた前記蓋体の掩蓋片との間で押圧し、切断刃で切り取り使用するラップフィルム収納カートンにおいて、
少なくとも前記前板の前記掩蓋片と重なり合う一部又は全部に、樹脂の塗布層からなるラップフィルム保持部を設け、該ラップフィルム保持部の一部又は全部に複数の凸部を形成したことを特徴とするラップフィルム収納カートン。
【請求項２】
前記凸部の基底部の形状が円形、楕円形、長円形であることを特徴とする請求項１に記載のラップフィルム収納カートン。
【発明の詳細な説明】
【技術分野】
【０００１】
本発明は、ロール状に巻かれたラップフィルムを収納したラップフィルム収納カートンに関するものであり、詳しくは、ラップフィルム収納カートンから引き出したラップフィルム端の巻き戻り防止機能の改良技術に関するものである。
【背景技術】
【０００２】
従来より、長尺に巻回されたラップフィルムのロールを収納したラップフィルム収納カートンは広く使用されている。このラップフィルム収納カートンでは、カートンの内部に収納されているロール状のラップフィルムを所望の長さに引き出し、カートン本体の前板とこの前板を覆う蓋体の掩蓋片との間で押圧された状態にしたラップフィルムを切断刃によって切り取り使用している。この時、つぎに引き出す時の最先端となるラップフィルム端が、引き出された状態のままでカートンの外側に残らずに、カートンの内部に巻き戻ってしまうことがしばしば生じ、次に引き出すことを困難にしている。この巻き戻りを防止するために、ラップフィルムを切断する際に押し当てられる前板に何らかの巻き戻り防止機能を設けたラップフィルム収納カートンが種々提案されている。
【０００３】
この巻き戻り防止機能としては、例えば、ラップフィルム収納用カートンを構成している前板に感圧粘着剤層からなるラップフィルム保持部を設け、その前板を覆う位置に重ねられた掩蓋片に連設された開封片を剥がして除去したときに、感圧粘着剤層をカートンの表面に露出させ、その感圧粘着剤層により切断後のラップフィルム端を保持し巻き戻りを防止する方法がある。
【０００４】
また、カートンの前板とその前板を覆う位置に設けられた掩蓋片とが重なる部分の前板の表面に、平坦な樹脂の塗布層からなるラップフィルム保持部を設け、この塗布層の平滑面に対するラップフィルムの自己密着性を利用して保持する方法等もある（例えば、特許文献１参照。）。
【特許文献１】特開昭６４−９１５１号公報
【発明の開示】
【発明が解決しようとする課題】
【０００５】
しかし、前述のような従来の方法では、例えば最初の感圧粘着剤層からなるラップフィルム保持部の場合は、粘着剤自体の粘着力が強すぎるとラップフィルムが強く接着しすぎて、ラップフィルムを引き出す際にラップフィルム切れを生じ、また、感圧粘着剤層には徐々にちりやほこり等が付着し、ラップフィルム保持性が低下すると共に、不衛生になる欠点がある。
【０００６】
また、カートンの前板の表面に平坦な樹脂の塗布層からなるラップフィルム保持部布層を設け、その平滑性を利用してラップフィルムを保持する方法は、自己密着性のあるポリ塩化ビニリデンなどのラップフィルムでは、密着しすぎて剥離することが難しくなるという問題がある。
【０００７】
本発明は、上記の問題点を解決するために見出されたもので、その目的とするところは、切断後のラップフィルム端のカートン内への巻き戻りを防止するラップフィルム保持部を、ラップフィルムに対して密着性の良好な樹脂の塗布層で形成し、さらに、そのラップフィルム保持部をラップフィルムが適度に密着し、かつ、剥離しやすく取り出しやすいように改良したラップフィルム収納カートンを提供することにある。
【課題を解決するための手段】
【０００８】
上記課題を解決するためになされた本発明は、ロール状に巻かれたラップフィルムが収納されるカートン本体の開口部の一側縁に蓋体が開閉自在に連設され、所望の長さに引き出した前記ラップフィルムを、前板とその前記前板を覆う位置に設けられた前記蓋体の掩蓋片との間で押圧し、切断刃で切り取り使用するラップフィルム収納カートンにおいて、少なくとも前記前板の前記掩蓋片と重なり合う一部又は全部に、樹脂の塗布層からなるラップフィルム保持部を設け、該ラップフィルム保持部の一部又は全部に複数の凸部を形成したことを特徴とするラップフィルム収納カートンであり、前記凸部の基底部の形状が円形、楕円形、長円形であることを特徴とするものである。
【発明の効果】
【０００９】
本発明のラップフィルム収納カートンは、使用時に引き出されたラップフィルム端がカートン内へ巻戻るのを防止するために、前板の表面に樹脂の塗布層からなるラップフィルム保持部を設け、そのラップフィルム保持部の全部または一部に複数の凸部を設けることによって、ラップフィルム保持部が、取り出したラップフィルムに対して良好な密着性を有し、かつ、再度使用する時に、ラップフィルムを剥離しやすく引き出すことができるという効果を有している。具体的には、ラップフィルム保持部の全部または一部設けた複数の凸部の上面に引き出されたラップフィルムが適度に密着し、巻き戻りを防止することができ、また、再度使用する時には、凸部と凸部の間の弱密着部分を取っ掛かりとして剥がすことができ、ラップフィルムを簡単に引き出すことができる。
【発明を実施するための最良の形態】
【００１０】
以下、図面に基づいて発明の実施の形態について詳細に説明する。本発明のラップフィルム収納カートンにおいては、前板の表面に樹脂の塗布層からなるラップフィルム保持部を設け、そのラップフィルム保持部の全部または一部に複数の凸部を設けている。このラップフィルム保持部の部位は、カートンの形状、具体的にはラップフィルムを切断する切断刃の取り付け位置により異なるものであり、カートン本体からラップフィルムが引き出され、切断された後、ラップフィルムがカートンに接触する面であればどこでもよく特に限定はされるものではない。ただし、一般的にはラップフィルムを切断する際、カートン本体の前板とこの前板とが重なる掩蓋片との間でラップフィルムを挟んで、外側から押さえながら切断するため、ラップフィルムはカートンの前板に押しつけられ密着し易くなる。従って、ラップフィルム保持部は、この前板表面のラップフィルムが挟まれる位置に設けている。また、このラップフィルム保持部の大きさおよび形状は自由であり、ラップフィルムの材質やカートン形状或いは切断刃の取り付け位置などによりラップフィルムを保持する機能が安定するように自由に決めてよい。
【００１１】
図１、図４、図５に、ラップフィルムの切断刃の形と取り付け位置とが異なるラップフィルム収納カートンの代表的な例をあげ、それぞれについて適切なラップフィルム保持部の部位は、ラップフィルムを切断する際に、ラップフィルムがカートン表面に強く押しつけられる位置を含んだ領域にあることが好ましく、その結果、ラップフィルムを切断する操作により自然にラップフィルムがラップフィルム保持部に押しつけられて密着し、保持されるようになる。
【００１２】
図１は、本発明によるラップフィルム収納カートンの第一の実施の形態を示す斜視図であり、開封した時の状態を示している。なお、図２にこの形態のラップフィルム収納カートンの展開図を示し、各部の名称を記載したので、これを用いて説明する。また、図３、図４に示した形態のカートンについても、この名称を用いて説明することとする。
【００１３】
このラップフィルム収納カートンＡの特徴は、鋸刃状のフィルム切断刃Ｈが、直線状であり、その取り付け位置は、掩蓋片１５に設けた直線状の切り取り線Ｌの先の開封片１６を剥離し、取り除いた際、刃先が僅かに突き出るように、掩蓋片１５の裏面に、切り取り線Ｌに掛かるように取り付けられる。そして、この形態の場合、ラップフィルム保持部Ｐは、ラップフィルム収納カートンＡの前板１１の表面の略図で示した位置に設けることが好ましい。この位置に設けることにより、引き出したラップフィルムＦを切断する際、ラップフィルム収納カートンＡの掩蓋片１５と前板１１との間に挟まれたラップフィルムＦを、掩蓋片１５の外側から、手で前板１１の表面に押しつけるように固定して切断するため、ラップフィルムＦがラップフィルム保持部Ｐに押しつけられ、よく密着するようになる。この時、ラップフィルム保持部Ｐには、複数の凸部Tが設けられているので、再度引き出す時に剥がし易い。すなわち、凸部Ｔの上面にはラップフィルムＦがよく密着しているが、凸部Ｔと凸部Ｔの間では密着が弱くなっているので、この部分からラップフィルムＦが剥がし易くなっている。
【００１４】
なお、図１に示したラップフィルム収納カートンAは、ラップフィルム収納カートンの開封後の状態を示しているため、図２に示した掩蓋片１５に設けた切り取り線Ｌより先の部分は開封片１６でもあり、開封に際して剥離、除去されており表示されていない。
【００１５】
図２は、先に説明した図１の本発明の第一の実施の形態であるラップフィルム収納カートンＡのブランクの展開図である。ラップフィルム収納カートンＡのブランク１０は、図に示すように、折り曲げ線ａ、ｂ、ｃを介して連設された前板１１、底板１２、後板１３および蓋板１４を有しており、前板１１の側縁には折り曲げ線ｅを介して折り込み片１７が、また、蓋板１４の側縁には折り曲げ線ｄを介して掩蓋片１５がそれぞれ連設されている。掩蓋片１５には、切り取り線Ｌを介して開封片１６が連設されている。この開封片１６は前記切り取り線Ｌにより切り離し可能である。この切り取り線Ｌは、ミシン目、リード罫など切り取り易い形で形成する。また、開封片１６には長手方向に沿って等間隔に同じ向きの半円状の切り込み２３が複数個形成されている。
【００１６】
前板１１、底板１２、後板１３、蓋板１４および掩蓋片１５のそれぞれの両端位置には、折り曲げ線ｆ、ｆ´を介してそれぞれ第一側片１８、１８´、側板１９、１９´、第二側片２０、２０´、側蓋板２１、２１´、および側蓋片２２、２２´が連設されている。ここで、側板１９、１９´の長さは前板１１および後板１３の幅と略同寸とされ、第一側片１８、１８´、第二側片２０、２０´の長さは側板１９、１９´より短くされている。また、側蓋板２１、２１´の長さは、側板１９、１９´の長さの略半分とされ、また、側蓋片２２、２２´の長さは蓋板１４の幅より短くされている。
【００１７】
また、前板１１の表面には、図２に示すように、ラップフィルム収納カートンＡに形成された時に開封片１６の半円状の切り込み２３と接触する位置に該切り込み２３と同径の円形の半切れ部２４を設けている。そして、本発明のラップフィルム収納カートンにおいては、ラップフィルム端のカートン内への巻戻りを防止するラップフィルム保持部Ｐを設けている。
【００１８】
このラップフィルム保持部Ｐには、ラップフィルムに対する密着性の良好な樹脂が塗布されて塗布層を形成している。使用する樹脂としては、シリコン変性アクリル樹脂、ポリエステル系樹脂、エマルジョン型アクリル系樹脂、そして、種々の紫外線硬化型樹脂等があげられる。具体的には、シリコン変性アクリル樹脂としては、メチルポリシロキサン、エチルポリシロキサン、ジメチルポリシロキサン、ジエチルポリシロキサンなどのシロキサンからなる中間体を用いて変性した樹脂で、あらかじめ、オリゴマー化した反応基を有するシロキサンを用いて、剥離性、耐熱性などを付与し、また、反応基には、Ｓｉ−ＯＨ、Ｓｉ−ＯＭｅを用い、これらの反応基と反応するアクリル樹脂をブレンド、クッキングして変性し、そして、アクリル樹脂としては、アクリル酸エステル、メタクリル酸エステルなどを使用することができる。
【００１９】
さらに、本発明のラップフィルム収納カートンＡのラップフィルム保持部Ｐには、複数の凸部Ｔが複数設けられている。この凸部Ｔを設ける位置は、ラップフィルム保持部Ｐの一部または全部に設けるが、ラップフィルムＦを引き出すときに指で押える位置に設けることが好ましい。この凸部Ｔの形状は、図３に示すように、円形の山形とし、上面は平らな面とすることが好ましい。また、凸部Ｔの基底部の円形の径の大きさは、２〜７ｍｍの範囲とすることが好ましく、２ｍｍ未満の場合には、密着性が極端に低下しラップフィルムＦがラップフィルム保持部Ｐから剥がれ易くなり、７ｍｍを超えた場合には、密着しすぎて逆に剥離しにくくなる。また、凸部Ｔの最大高さは、０．１〜１．０ｍｍの範囲とすることが好ましく、０．１未満の場合には、ラップフィルムＦがラップフィルム保持部Ｐに密着しすぎて剥離しにくくなり、１．０ｍｍを超えた場合には、材料である板紙に割れが生じたり加工性が悪くなる。さらに、隣接する凸部Ｔ同士の間隔は１〜１０ｍｍの範囲であり、好ましくは２〜５ｍｍの範囲であり、一直線状、千鳥状等に設けることができる。隣接する凸部Ｔ同士の間隔が１ｍｍ未満の場合には、加工が難しくなり、剥がし易くするという効果も少なくなり、一方、１０ｍｍを超えた場合には、凸部Ｔと凸部Ｔの間の部分も密着し易くなり、剥がし易くするという効果がなくなる。また、凸部Tの基底部の形状としては、加工し易い点等から円形が好ましいが、円形以外にも、楕円形、長円形、略多角形等とすることができる。
【００２０】
つぎに、このようなラップフィルム収納カートンＡの場合には、ブランク１０は次のように組み立てられる。まず、ブランク１０を各折り曲げ線ａ、ｂ、ｃ、ｄ、ｅ、ｆに沿って折り曲げ、折り込み片１７の裏面を前板１１の裏面に貼着し、つづいて、第二側片２０、２０´の表面と側板１９、１９´の裏面との間に第一側片１８、１８´を挟み込んで各接触面をそれぞれ貼着することによってカートンの収納部が形成される。また、蓋部は、側蓋片２２、２２´の表面と側蓋板２１、２１´の裏面とを貼着することにより形成される。
【００２１】
こうして組み立てられたラップフィルム収納カートンＡには、収納部の凹部にロール状のラップフィルムなどが収納される。そして、前板１１の半切れ部２４に重なるように帯状に塗布された接着剤によって前板１１の表面と掩蓋片１５の開封片１６の裏面とが貼着され、それによりカートンが密封される。その場合、オーバープリントニスの抜かれた半切れ部２４の内側のみが開封片１６の切り込み２３の内側と接着される。
【００２２】
使用時においては、図６に示すように、開封片１６を半円状の切り込み２３の基端側の摘まみ部２５をつまんで開封片１６を切り取り線Ｌの箇所から切り離すと、接着部である半切れ部２４の内側の表面の紙が層間剥離することによってカートンが開封され、その開封部から切断刃Ｈが露出する。また、それと同時にカートンの内部の収納されたロール状のラップフィルムＦも露出するため、ラップフィルムＦを必要量だけ繰り出して切断刃Ｈにより切断することが可能となる。そして、繰り出した後のラップフィルムＦは、ラップフィルム保持部Ｐに仮に密着し、中に巻き込まれることが防がれている。再度、ラップフィルムＦを引き出す時には、ラップフィルム保持部ＰからラップフィルムＦをまず剥がしてから引き出すが、この時、ラップフィルム保持部Ｐに複数の凸部Ｔが設けられているため、容易にラップフィルムＦをラップフィルム保持部Ｐから剥がすことができる。
【００２３】
図４は、本発明のラップフィルム収納カートンの第二の実施の形態を示す斜視図である。このラップフィルム収納カートンＢの特徴は、図１のラップフィルム収納カートンＡとは異なり、図４に示されているように鋸刃状のフィルム切断刃ＨがＶ字形をしていることである。従って、掩蓋片１５には切断刃Ｈと同形のＶ字形の切り取り線Ｌを設け、その先の開封片１６を剥離し、除いたときに、Ｖ字形の切断刃Ｈの刃先が僅かに突き出るようにするため、切断刃Ｈは掩蓋片１５に裏面の、切り取り線Ｌに掛かる位置に取り付けられる。そして、ラップフィルムＦの切断の際には、掩蓋片１５のＶ字形の先端部に近い位置でラップフィルムＦを押さえながら、ラップフィルムＦの中心部から両サイドに向かってラップフィルムＦを切断するものであるため、ラップフィルム保持部Ｐは、図４に示したように、ラップフィルム収納カートンＢの前板１１の表面の中央やや上寄りの位置に設けることが、ラップフィルムＦを密着させ易い点で好ましい。
【００２４】
なお、図４に示したラップフィルム収納カートンＢは、ラップフィルム収納カートンの開封後の状態を示しているため、ラップフィルム収納カートンAと同様に、掩蓋片１５に設けた切り取り線Ｌより先の部分は開封片１６でもあり、開封に際して剥離、除去されており表示されていない。
【００２５】
図５は、本発明のラップフィルム収納カートンの第三の実施の形態を示す斜視図である。このラップフィルム収納カートンＣにおいて、フィルム切断刃Ｈは、ラップフィルム収納カートンＣが組立てられた時に、鋸刃状の切断刃Ｈの刃先がラップフィルム収納カートンＣの底板１２から僅かに前方、即ち、前板１１側に突き出るように、底板１２の表面に取り付けられている。そして、ラップフィルム保持部Ｐは、図５に示したように、ラップフィルム収納カートンＣの前板１１の表面で、掩蓋片１５とフィルム切断刃ＨによりラップフィルムＦが押さえられる位置に設けられる。
【実施例】
【００２６】
以下に具体的な実施例を挙げて本発明を説明する。
【００２７】
坪量４５０ｇ／ｍ2のコートボール（板紙）をカートン材料とし、グラビア輪転印刷打ち抜きのインライン装置を使用して、所定の絵柄及びオーバープリントニスの印刷とインラインでラップフィルム保持部にシリコーン変性アクリル樹脂からなる塗布液（商品名：ＷＧ（日本加工塗料株式会社製））を用いて、図２に示した位置に塗布、乾燥して形成すると共に、図２に示す形状に打ち抜いてカートンブランクを作成した。この打ち抜いてカートンブランクを作成する打ち抜き工程において、樹脂を塗布したラップフィルム保持部に複数の凸部Ｔをエンボス加工をする方法と同様な方法で設けた。続いて、ストレートな鋸刃状の切断刃Ｈを所定の位置に専用の装置で取り付け、さらに、サック貼り機で胴貼りを行って実施例１のラップフィルム収納カートンAを作成した。その後、このラップフィルム収納カートンＡに、ポリ塩化ビニリデン系樹脂のラップフィルムＦを充填包装した。
【００２８】
実際に、ポリ塩化ビニリデン系樹脂のラップフィルムＦが収納されているラップフィルム収納カートンＡを開封し、ラップフィルムＦを引出して切断して、ラップフィルムＦを使用した際、引き出したラップフィルムＦはラップフィルム保持部Ｐに密着し、引き出したラップフィルムＦが中に巻き込まれることはなかった。また、再度使用する時には、ラップフィルム保持部Ｐに複数の凸部Ｔが設けられているので、ラップフィルムＦを簡単に剥がすことができ、ラップフィルムＦを容易に引き出すことができた。
【産業上の利用可能性】
【００２９】
本発明は、ロール状に巻かれたラップフィルムを収納したラップフィルム収納カートンとして利用するものであり、塩化ビニリデンフィルム、塩化ビニルフィルム、ポリエチレンフィルム、塩化ゴムフィルム等のロールに巻かれたフィルムを収納するカートンとして広く利用することができる。
【図面の簡単な説明】
【００３０】
【図１】本発明によるラップフィルム収納カートンの第一の実施の形態を示す概略斜視図である。
【図２】本発明によるラップフィルム収納カートンの第一の実施の形態のブランクの展開図である。
【図３】本発明によるラップフィルム収納カートンの凸部を示す概略図である。
【図４】本発明によるラップフィルム収納カートンの第二の実施の形態を示す概略斜視図である。
【図５】本発明によるラップフィルム収納カートンの第三の実施の形態を示す概略斜視図である。
【図６】本発明によるラップフィルム収納カートンの第一の実施の形態の開封状態を示す斜視図である。
【符号の説明】
【００３１】
Ａ    ラップフィルム収納カートン（第一の実施の形態）
Ｂ    ラップフィルム収納カートン（第二の実施の形態）
Ｃ    ラップフィルム収納カートン（第三の実施の形態）
Ｆ    ラップフィルム
Ｈ    切断刃
Ｌ    切り取り線
Ｐ    ラップフィルム保持部
Ｔ    凸部
１０    ブランク
１１    前板
１２    底板
１３    後板
１４    蓋板
１５    掩蓋片
１６    開封片
１７    折り込み片
１８    第一側片
１９    側板
２０    第二側片
２１    側蓋板
２２    側蓋片
２３    切り込み
２４    半切れ部
２５    摘まみ部
ａ〜ｆ  折れ線
【図１】
2007112475.tif 000003
【図２】
2007112475.tif 000004
【図３】
2007112475.tif 000005
【図４】
2007112475.tif 000006
【図５】
2007112475.tif 000007
【図６】
2007112475.tif 000008